(57)【要約】【課題】簡単な構成で、繰り返し開封できるとともに、一部開口状態を容易に維持できる容器を提供する。【解決手段】容器本体２の開口部２１を覆うシート部材３に摘み片部３１を設ける。摘み片部３１を係脱可能に係止するスリット２９を容器本体２に設ける。開封時には、シート部材３の一部を捲り返し、摘み片部３１を容器本体２のスリット２９に差し込んで係止させることで、別部材を用いることなく、容器本体２に収容された食材Ｘの一部が臨んだ開口状態を容易に維持でき、容易に食材Ｘを容易に取り出すことができる。食材Ｘを容易に取り出す為の構成が、シート部材３に摘み片部３１を設け、容器本体２にスリット２９を設ける簡単な構成で得られる。【選択図】図２
2015040045.tif 000002
【特許請求の範囲】
【請求項１】
鉛直方向の上面に開口部を有した容器本体と、前記開口部を覆うシート部材とを備え、
前記シート部材は、係合部を有し、
前記容器本体は、前記係合部を係脱可能に係止する係止部を有している
ことを特徴とする容器。
【請求項２】
請求項１に記載の容器であって、
前記容器本体に着脱可能に取り付けられ前記シート部材を覆って前記開口部を開閉する蓋体を備えている
ことを特徴とする容器。
【請求項３】
請求項１または請求項２に記載の容器であって、
前記容器本体は、合成樹脂製で、
前記シート部材は、前記容器本体にヒートシールされる合成樹脂フィルムにより形成されている
ことを特徴とする容器。
【請求項４】
請求項１から請求項３までのいずれか一項に記載の容器であって、
前記容器本体は、前記開口部の周縁に鍔状に設けられ前記シート部材の周縁が取り付けられるフランジ部を有し、
前記係止部は、前記フランジ部に設けられた
ことを特徴とする容器。
【請求項５】
請求項１から請求項４までのいずれか一項に記載の容器であって、
前記係合部は、前記シート部材の周縁に外方に向けて突設され前記開口部の開口時に把持可能に形成されている
ことを特徴とする容器。
【請求項６】
請求項１から請求項５までのいずれか一項に記載の容器であって、
前記係合部は、外周縁に舌片状に突出して形成され、
前記係止部は、前記係合部が挿入されて係止可能とする凹部を有している
ことを特徴とする容器。
【請求項７】
請求項１から請求項６までのいずれか一項に記載の容器であって、
前記係止部は、突起部を有し、
前記係合部は、前記突起部が着脱可能に挿入される貫通孔を有している
ことを特徴とする容器。
【請求項８】
請求項１から請求項７までのいずれか一項に記載の容器であって、
前記容器本体は、収容する複数の収容凹部を有し、
前記係止部は、前記収容凹部に対応して複数設けられている
ことを特徴とする容器。
【請求項９】
請求項１から請求項８までのいずれか一項に記載の容器であって、
前記容器本体は、ゲル状食品を収容する
ことを特徴とする容器。
【発明の詳細な説明】
【技術分野】
【０００１】
本発明は、シート部材を備えた容器に関する。
【背景技術】
【０００２】
従来、バターやマーガリン、ジャムやヨーグルトなど、半固形のゲル状食品を収容する容器として、上面に開口を有する容器本体と、当該上面開口を開閉可能に閉塞する合成樹脂フィルム製の蓋体とを備え、蓋体が容器本体にヒートシールされてゲル状食品を封入する構成が知られている。このような容器において、ゲル状食品の取り出し作業性などの観点から、蓋材の一部のみを開封し、開封した蓋材の端部を容器が載せられた皿の縁部に貼付する構成が知られている（例えば、特許文献１参照）。
この特許文献１に記載の容器では、蓋体に設けた粘着材を、皿の縁部に貼付しておくため、開封状態を維持しておくことが可能である。
【先行技術文献】
【特許文献】
【０００３】
【特許文献１】特開平１１−２２７７７８号公報
【発明の概要】
【発明が解決しようとする課題】
【０００４】
しかしながら、特許文献１に記載の容器のように、蓋材を皿の縁部に貼着する構成では、蓋材を一部開封して一部が開口する状態に維持するためには、容器を載置させる皿が必要であり、容器単体にて開口状態を維持することができない。また、蓋体を折り返して接着剤を容器本体に貼付させることも可能であるが、繰り返し貼付することで、粘着力が低下し、開口状態を維持できなくなる可能性もある。そもそも、特許文献１の容器では、蓋材をさらに貼付することで容器を皿上に止めておくことが目的であるから、蓋材を皿から剥がして、再度、容器の蓋材として用いることなど想定されていない。
【０００５】
本発明は、簡単な構成で、繰り返し開閉できるとともに、一部開口状態を容易に維持できる容器を提供することを目的とする。
【課題を解決するための手段】
【０００６】
本発明の容器は、鉛直方向の上面に開口部を有した容器本体と、前記開口部を覆うシート部材とを備え、前記シート部材は、係合部を有し、前記容器本体は、前記係合部を係脱可能に係止する係止部を有していることを特徴とする。
【０００７】
本発明では、シート部材の一部を捲り返し、係合部を容器本体の係止部に係止することで、別部材を用いることなく、容器本体に収容された収容物の一部が臨んだ開口状態を容易に維持でき、簡単な構造で容易に収容物を取り出すことができる。
【０００８】
そして、本発明では、前記容器本体に着脱可能に取り付けられ前記シート部材を覆って前記開口部を開閉する蓋体を備えている構成とすることが好ましい。
この発明では、例えば、収容物の一部を取り出した後、シート部材の係合部を容器本体の係止部から取り外して再び収容物の上方を覆って蓋体にて開口部を閉塞することで、収容物が乾燥したり酸化したりするなどの変質を長期間抑えることができる。
【０００９】
また、本発明では、前記容器本体は、合成樹脂製で、前記シート部材は、前記容器本体にヒートシールされる合成樹脂フィルムにより形成されている構成とすることが好ましい。
この発明では、シート部材の一部を捲り返し、係合部を容器本体の係止部に係止することで、保形性を有しないシート部材でも開口部の一部が開口する状態が維持され、封止された収容物を容易に取り出すことができ、収容物を取り出し後はシート部材がヒートシールされた容器本体を一括して廃棄できるとともに、プラスチック廃棄物としてそのままリサイクル処理可能で、廃棄作業およびリサイクルを容易に実施できる。
【００１０】
さらに、本発明では、前記容器本体は、前記開口部の周縁に鍔状に設けられ前記シート部材の周縁が取り付けられるフランジ部を有し、前記係止部は、前記フランジ部に設けられた構成とすることが好ましい。
この発明では、シート部材を取り付けるフランジ部を、シート部材を係止する係止部を設ける構成に共用することで、簡単な構成で容易に収容物を取り出しできる。
【００１１】
また、本発明では、前記係合部は、前記シート部材の周縁に外方に向けて突設され前記開口部の開口時に把持可能に形成されている構成とすることが好ましい。
この発明では、シート部材を開封する際に把持される部分を係止部として共用することで、簡単な構成で容易に開封でき、収容物を容易に取り出すことができる。
【００１２】
そして、本発明では、前記係合部は、外周縁に舌片状に突出して形成され、前記係止部は、前記係合部が挿入されて係止可能とする凹部を有している構成とすることが好ましい。
この発明では、舌片状に形成した係合部を、係止部の凹部に挿入して係止させる簡単な構造で、保形性を有しないシート部材でも一部を開封した状態に保持することが容易にできる。
【００１３】
また、本発明では、前記係止部は、突起部を有し、前記係合部は、前記突起部が着脱可能に挿入される貫通孔を有している構成とすることが好ましい。
この発明では、係合部の貫通孔に係止部の突起部を着脱可能に挿入させる簡単な構造で、保形性を有しないシート部材でも一部を開封した状態に保持することが容易にできる。
【００１４】
さらに、本発明では、前記容器本体は、収容する複数の収容凹部を有し、前記係止部は、前記収容凹部に対応して複数設けられている構成とすることが好ましい。
この発明では、いずれかの収容凹部のみを開封する場合に、シート部材の係止部を収容凹部に対応して設けられた所定の係止部に係止させればよく、複数の収容凹部のうちのいずれかに収容された収納物のみを取り出すことが容易にできる。
【００１５】
そして、本発明では、前記容器本体は、ゲル状食品を収容する構成とすることが好ましい。
この発明では、容器本体に収容されたゲル状食品がシート部材に付着した状態でも、シート部材を開封状態に保持できるので、ゲル状食品を取り出す際にシート部材に付着したゲル状食品が手に付着するなどの不都合を防止でき、ゲル状食品を容易に取り出しできる。
【図面の簡単な説明】
【００１６】
【図１】本発明の一実施形態に係る容器を示す分解斜視図。
【図２】前記容器のシート部材を捲り返した状態を示す一部を切り欠いた斜視図。
【図３】前記図２の部分拡大図。
【図４】本発明の他の実施形態に係る容器の係止部近傍を示す斜視図。
【図５】前記図４の容器のシート部材を捲り返した状態を示す斜視図。
【図６】本発明のさらに他の実施形態に係る容器を示す分解斜視図。
【図７】前記容器のシート部材を捲り返した状態を示す一部を切り欠いた斜視図。
【図８】本発明のさらに他の実施形態に係る容器の係止部近傍を示す斜視図。
【図９】前記図６の容器のシート部材を捲り返した状態を示す斜視図。
【図１０】本発明のさらに他の実施形態に係る容器のシート部材を捲り返した状態を示す斜視図。
【図１１】本発明のさらに他の実施形態に係る容器本体を示す一部を切り欠いた斜視図。
【図１２】本発明のさらに他の実施形態に係る容器本体を示す一部を切り欠いた斜視図。
【図１３】本発明のさらに他の実施形態に係る容器を示す平面図。
【図１４】前記容器のシート部材を捲り返した状態を示す斜視図。
【図１５】本発明のさらに他の実施形態に係る容器を示す平面図。
【図１６】前記容器のシート部材を捲り返した状態を示す斜視図。
【発明を実施するための形態】
【００１７】
以下、本発明の容器に係る一実施形態について図面を参照して説明する。
［容器の構成］
図１に示すように、１は容器で、容器１は、例えばマーガリンなどの粘性を有するゲル状食品である食材を収容する容器である。この容器１は、鉛直方向の上面に開口部２１を有した容器本体２と、周縁が前記容器本体２にヒートシールされて開口部２１を覆うシート部材３と、容器本体２に着脱可能に取り付けられシート部材３を覆って開口部２１を開閉する蓋体４とを具備している。
【００１８】
容器本体２は、略長方形で四隅が円弧状の図示しない底板部と、当該底板部の外周縁に鉛直方向の上方に向けて拡径するように屈曲形成された側板部２３と、当該側板部２３の上端縁に外方に向けて鍔状に屈曲形成された鍔部２４と、当該鍔部２４の外周縁に上方に向けて屈曲形成された立壁部２５と、鍔部２４の外周縁から外方に向けてさらに延設されたフランジ部としての当接部２６とを備え、立壁部２５の上端縁にて開口部２１が開口形成されている。
立壁部２５は、上方に向けて次第に厚み寸法が薄くなるようにテーパー状に形成されている。また、立壁部２５の外周面には、四隅に位置して外方に突出する係止爪部２７が設けられている。さらに、立壁部２５には、容器本体２の長手方向の両端縁の略中央に位置して、例えばバターナイフなどを保持するための切欠部２８が設けられている。
当接部２６には、四角のうちの対角線に位置する二隅に位置して係止部としてのスリット２９が設けられている。
【００１９】
そして、容器本体２は、例えばポリエチレンやポリプロピレン、ポリスチレン、ポリ乳酸などの樹脂原料により、射出成形にて形成される。
容器本体２は、開口部２１の長手方向の寸法が９０ｍｍ以上１５０ｍｍ以下、短手方向の寸法が６０ｍｍ以上１２０ｍｍ以下、開口部２１の長手方向寸法／短手方向寸法＝０．７５以上２．５以下で、容器本体２の高さ寸法は、２５ｍｍ以上５５ｍｍ以下で形成されている。
【００２０】
シート部材３は、例えばアルミニウム箔がラミネートされた合成樹脂フィルムである。このシート部材３は、周縁が容器本体２の鍔部２４の上面にヒートシール可能に、四隅が円弧状の略長方形に形成されている。なお、シート部材３の鍔部２４への取り付けは、ヒートシールに限らず、例えば超音波による溶着、接着剤などを用いた接着など、各種方法を利用できる。さらに、シート部材３は、容器本体２に直接取り付けられる場合に限らず、容器本体２に収容されたマーガリンなどの食材上に直接覆うように配置されて開口部２１を覆うようにしてもよい。
そして、シート部材３の一隅には、舌片状に突出形成され、容器本体２のスリット２９に係脱可能に係止される係合部としての摘み片部３１が形成されている。
【００２１】
蓋体４は、略長方形で四隅が円弧状の天板部４１と、当該天板部４１の周縁が下方に向けて屈曲形成された側面部４２を有し、下方に開口するドーム状に形成されている。
側面部４２は、容器本体２の立壁部２５の外周側に重なるように形成され、内面に容器本体２の係止爪部２７に係脱し取り付けられる図示しない係合爪部を有している。
また、側面部４２には、容器本体２の切欠部２８の位置に対応して、下端縁が回動して切欠部２８を開閉可能とする開閉片部４３が切り込み形成されている。
なお、側面部４２は、容器本体２に取り付けられた状態で、下端縁が当接部２６に当接もしくはわずかな間隙で対向するように形成されている。すなわち、蓋体４を容器本体２に取り付けた際、側面部４２が当接部２６に当接し、良好な装着感を提供できる。さらに、誤って容器１を落下するなど蓋体４に大きな外力が作用した際、側面部４２が当接部２６に当接して外力を吸収することで、蓋体４が損傷することを防止する構成としている。
【００２２】
また、容器本体２、シート部材３および蓋体４には、後述する容器の開封、シート部材の摘み片部３１をスリット２９に係脱させる作業内容などの説明書きや説明図を設けておくことが好ましい。すなわち、残りの食材Ｘをシート部材３で覆っておくことで、食材Ｘの変質を抑制できることから、利用者が開封当初にシート部材３を取り外して廃棄してしまわず、シート部材３を保護フィルムとして継続利用することを推奨する旨を記載しておくとよい。
【００２３】
［容器の開封］
次に、上記容器を開封して収容された食材を取り出す状況について、図面を参照して説明する。
図２は、蓋体を容器本体から取り外しシート部材を捲り返して容器本体に係止した状態を示す斜視図である。図３は、図２の部分拡大図である。
【００２４】
食材Ｘが収容された容器１を開封して食材Ｘを取り出す際には、まず蓋体４を容器本体２から取り外す。
食材Ｘを覆うシート部材３の摘み片部３１を、図２中の二点鎖線の矢印の方向となる対角線の位置に持ち上げてシート部材３を捲り返す。そして、図２および図３に示すように、摘み片部３１を容器本体２のスリット２９に差し込んで係止させ、シート部材３を捲り返した状態に保持する。
この状態では、シート部材３の摘み片部３１から手を離しても、シート部材３が剛性による復元力により開口部２１を覆う元の状態に戻ってしまうことがなく、開口部２１が半分程度開口した、開口から食材Ｘが臨む状態が維持される。そして、容器本体２を把持して位置決めしつつ、バターナイフなどを用いて食材Ｘを取り出す。
このように、容器本体２を保持しつつシート部材３を捲り返した状態にし、バターナイフなどを用いて食材Ｘを取り出すなどの煩雑な作業をする必要がなく、容易に食材Ｘを取り出すことができる。仮にシート部材３に食材Ｘが付着していたとしても、開封時に摘み片部３１を摘むのみでシート部材３を触ることがないので、食材Ｘを取り出す際に食材Ｘが手に付着するなどの不都合もなく、容易に取り出すことができる。
【００２５】
そして、使用後は、スリット２９から摘み片部３１を取り外し、シート部材３を再び食材Ｘを覆うようにし、蓋体４を容器本体２に取り付けて開口部２１を閉塞し、冷蔵庫などに保存する。
このように、開封時にシート部材３を取り外さず、保存時にはシート部材３にて覆われた状態とすることで、保存時に食材Ｘが酸化したり乾燥したりするなどの変質を生じることを抑制でき、食材Ｘを長期間安定した品質で利用できる。
【００２６】
［実施形態の作用効果］
上記実施形態では、容器本体２の開口部２１を覆うシート部材３に摘み片部３１を設けるとともに、摘み片部３１を係脱可能に係止するスリット２９を容器本体２に設けている。
このことにより、シート部材３の一部を捲り返し、摘み片部３１を容器本体２のスリット２９に差し込んで係止させることで、別部材を用いることなく、容器本体２に収容された食材Ｘの一部が臨んだ開口状態を容易に維持でき、食材Ｘを容易に取り出すことができる。そして、食材Ｘを容易に取り出す為の構成が、シート部材３に摘み片部３１を設け、容器本体２にスリット２９を設ける簡単な構成で得られる。
【００２７】
さらに、シート部材３がヒートシールされる容器本体２の鍔部２４に延設した当接部２６にスリット２９を設けている。
このため、蓋体４を容器本体２に取り付ける際に蓋体４の下端縁が当接部２６に当接して良好な装着感が得られ、また落下などによる大きな外力が加わった際に蓋体４が当接部２６に当接して外力を吸収し、蓋体４が損傷することを防止できる。このような当接部２６の構成を有効利用して、スリット２９を設けているので、容易に食材Ｘを取り出すための構成を、共用による簡単な構成で提供できる。
【００２８】
また、シート部材３に舌片状に摘み片部３１を形成し、開口部２１を開口させる際には摘みとして機能し、捲り返した状態を保持するためにスリット２９に係止させる構成として共用している。
このため、容易に食材Ｘを取り出すための構成を、共用による簡単な構成で提供できる。
【００２９】
そして、本実施形態では、開口部２１を開閉する蓋体４を設けている。
このことにより、例えば、食材Ｘの一部を取り出した後、シート部材３の摘み片部３１を容器本体２のスリット２９から取り外して再び食材Ｘの上方を覆って蓋体４にて開口部２１を閉塞することで、食材Ｘが乾燥したり酸化したりするなどの変質を長期間抑えることができる。
【００３０】
さらに、剛性により捲り返した状態に保持できない合成樹脂フィルムによりシート部材３を形成し、容器本体２にヒートシールする構成としている。
このため、保形性を有しないシート部材３でも、摘み片部３１をスリット２９に係止させることで開口部２１の一部が開口する状態に維持でき、封止された食材Ｘを容易に取り出すことができる。さらに、食材Ｘを全て取り出した後は、シート部材３がヒートシールされた合成樹脂製の容器本体２とともに一括して廃棄できるとともに、プラスチック廃棄物としてそのままリサイクル処理可能で、廃棄作業およびリサイクルを容易に実施できる。
【００３１】
［変形例］
なお、本発明を実施するための最良の構成などは、以上の記載で開示されているが、本発明は、これに限定されるものではない。すなわち、本発明は、主に特定の実施形態に関して説明されているが、本発明の技術的思想および目的の範囲から逸脱することなく、以上述べた実施形態に対し、材質、数量、その他の詳細な構成において、当業者が様々な変形を加えることができるものである。
したがって、上記に開示した材質、層構成などを限定した記載は、本発明の理解を容易にするために例示的に記載したものであり、本発明を限定するものではないから、それらの材質などの限定の一部若しくは全部の限定を外した名称での記載は、本発明に含まれるものである。
【００３２】
例えば、容器本体２に収容するものとして、マーガリンなどの粘性を有する食材Ｘとしたが、例えば化粧クリーム、グリースなどの潤滑油、ビーズやクリップなどの固形物など、シート部材３を捲り返した際に、開口を維持させておきたい各種用途に適用することができる。特に、酸化や乾燥などの品質が低下する収容物に対しては好適である。
また、合成樹脂製の容器本体２に、合成樹脂フィルムのシート部材３をヒートシールした構成を例示したが、各種材料を利用できる。例えば、容器本体２としては、ガラスや金属製、木製などが例示でき、シート部材３としては、アルミニウム箔がラミネートされていない合成樹脂フィルム、多層構造の合成樹脂フィルム、硫酸紙などの紙製などが例示できる。そして、シート部材３は、ヒートシールされている場合に限らず、硫酸紙のように、食材Ｘ上に直接覆い被せる構成としてもよい。
さらに、スリット２９を摘み片部３１の対角の位置に設けるのみならず、シート部材３を捲り返して食材Ｘを露出可能ないずれの位置に設けてもよい。また、スリット２９を複数設けて、食材Ｘの残量に応じて摘み片部３１を異なるスリット２９で係止させるようにしてもよい。さらに、摘み片部３１を複数設け、同様に食材Ｘの残量に応じて適宜の摘み片部３１をスリット２９に係止させて開口部２１の開口状況を変更可能としてもよい。
【００３３】
そして、係脱により、シート部材３を捲り返した状態に保持させる摘み片部３１およびスリット２９の構成についても、互いに係脱可能ないずれの構成とすることができる。
例えば図４および図５に示すように、係止部として、スリット２９に代えて突起部５１とし、係合部として、シート部材３の摘み片部３１に突起部５１が着脱可能に挿入される貫通孔３２を設ける構成としてもよい。
【００３４】
この図４および図５に示す構成では、開封する際に摘み片部３１を摘み上げて突起部５１に貫通孔３２が引っ掛かるように係止させて、シート部材３が捲り返された状態を保持させる。詳細には、立壁部２５の上面に、突起部５１が中央で上方に向けて突出するように、摘み片部３１が挿入可能な切欠凹部５２を設けている。
この構成では、開封する際にはシート部材３を捲り返す方向に摘み片部３１を移動させ、そのまま貫通孔３２に突起部５１を挿入させる簡単な作業でシート部材３の捲り返し状態を保持できる。また、シート部材３を元に戻す時も摘み片部３１を摘み上げる簡単な作業で取り外しでき、シート部材３の捲り返し状態の保持および解除がより容易にできる。
このように、図４および図５に示す構成についても、突起部５１および貫通孔３２を設ける簡単な構成で、容易に食材Ｘを取り出しできる構成を提供できるとともに、食材Ｘの品質の劣化を抑えて長期保存できる。特に、図４および図５に示す構成では、立壁部２５の上面に突起部５１を設けるので、蓋体４を容器本体２に取り付ける立壁部２５を利用でき、構成の簡略化が得られる。
【００３５】
なお、この図４および図５に示す貫通孔３２としては、摘み片部３１に設けるのみならず、シート部材３自体に設けてもよい。この場合には摘み片部３１を設けなくてもよい。
また、突起部５１としては、例えば立壁部２５の外周面に外方に向けて突設したり、突起部５１の先端を外方に向けて突出する鈎爪状に形成したりしてもよい。さらに、突起部５１として、図６および図７に示すように、当接部２６の外周縁に外方に向けて突設した構成としたりてもよい。
【００３６】
この図６および図７に示す構成では、容器本体２の当接部２６には、容器本体２の長手方向の両端に対応する外周縁の中央に切欠凹部５２を設け、中央に先端が下方に突出する係止部としての突起部５３が突出する状態としている。また、シート部材３の長手方向の両端縁の中央にそれぞれ摘み片部３１を設け、摘み片部３１には突起部５３が挿脱可能な係合部としても機能する貫通孔３２が設けられている。
この図６および図７に示す構成でも、図４および図５と同様に、シート部材３を捲り返すための摘み片部３１の貫通孔３２に突起部５１を挿脱することで、シート部材３の捲り返し状態の保持および解除が容易にできる。このことにより、食材Ｘを容易に取り出しできるとともに、食材Ｘの品質の劣化を抑えて長期保存できる。また、摘み片部３１を複数、特に長手方向の両端部に設けているので、食材Ｘが少なくなった場合に、反対側から開封させて取り出すことも可能となる。さらに、突起部５３として、当接部２６を利用して下方に鈎状となる形状としているので、突起部５３による係止がより確実となり、シート部材３の捲り返し状態をより安定して保持できる。
なお、反対側の摘み片部３１からもシート部材３を捲り返した際、容器本体２にヒートシールされていたシート部材３が容器本体２から取り外されてしまう場合がある。この場合には、シート部材３として、容器本体２にヒートシールされない硫酸紙と同様に、シート部材３を食材Ｘ上に貼り付けて保持した状態にし、摘み片部３１を突起部５３に係止させることで、食材Ｘの上部が覆われた状態で、開口部２１の一部を開口する状態が得られる。
【００３７】
さらに、本発明の係止部および係合部の構成としては、例えば図８および図９に示す構成としてもよい。すなわち、図８および図９に示す構成では、シート部材３の舌片状の摘み片部３１の基端部に切込部３３が設けられている。さらに、立壁部２５には、上端面から切欠形成した第一凹部５４Ａと、この第一凹部５４Ａの下端から水平方向の側方へ切欠形成した第二凹部５４Ｂとを有し、Ｌ字状に切り込み形成された係止部としての凹部である引っ掛け凹部５４を設けている。
この図８および図９に示す構成では、開封時には摘み片部３１を摘み上げて引っ掛け凹部５４まで移動させ、摘み片部３１を切込部３３側から第一凹部５４Ａ、さらに第二凹部５４Ｂに滑り込ませるように挿入し、切込部３３を第二凹部５４Ｂの縁に引っ掛け、摘み片部３１を引っ掛け凹部５４に係止させる。一方、係止を解除する場合には、摘み片部３１を係止させる時と反対の動作により容易に解除できる。
この図８および図９に示す構成でも、簡単な構成で食材Ｘを容易に取り出すことができるとともに、食材Ｘの品質の劣化を抑えて長期保存できる。
なお、第一凹部５４Ａおよび第二凹部５４Ｂの水平方向の幅寸法は、摘み片部３１の切込部３３の位置における幅寸法と同等程度に形成することが好ましい。この構成とすることで、摘み片部３１が引っ掛け凹部５４から不用意に外れることを防止でき、シート部材３の捲り返し状態を安定して維持できる。なお、摘み片部３１に切込部３３を設けなくても、引っ掛け凹部５４に係止させることができるが、切込部３３により、引っ掛け凹部５４による摘み片部３１の係止がより確実となり、シート部材３の捲り返し状態をより安定して保持できる。
【００３８】
また、上記実施形態では、蓋体４を備えた構成を例示したが、例えば図１０に示すように、蓋体４を備えず、容器本体２にシート部材３がヒートシールされて食材Ｘが封止された構成にも適用することができる。
この図１０に示す構成では、容器６は、容器本体６１と、シート部材６２とを備えている。
容器本体６１は、上面に上方形状の開口部２１を開口する複数の凹状の収容凹部６１Ａと、収容凹部６１Ａの開口縁から鍔状に突出するフランジ部６１Ｂとを備えている。フランジ部６１Ｂには、容器本体６１の長手方向の一側縁の中央に位置して、中央に係止部としての突起部６１Ｃが突出する状態に一対の切欠凹部６１Ｄが切欠形成されている。
シート部材６２は、アルミニウム箔がラミネートされた合成樹脂フィルムにて形成され、開口部２１を覆って周縁がフランジ部６１Ｂにヒートシールされる長方形のシート状に形成されている。シート部材６２には、長手方向の一側縁の中央に位置して、外方へ舌片状に突出する係合部としての摘み片部６２Ａが一連に設けられている。そして、摘み片部６２Ａには、突起部６１Ｃが挿脱可能な係合部としての貫通孔６２Ｂが設けられている。
この図１０に示す構成についても、図４および図５に示す実施形態や図６および図７に示す実施形態と同様に、摘み片部６２Ａの貫通孔６２Ｂに突起部６１Ｃを挿脱させてシート部材３の捲り返し状態の保持および解除が容易にできる。このことにより、食材Ｘを容易に取り出しできるとともに、食材Ｘの品質の劣化を抑えて長期保存できる。
【００３９】
なお、図１０に示す実施形態において、摘み片部６２Ａを係止する係止部としては、切欠凹部６１Ｄを設けずに単に突起部６１Ｃを突出形成したり、図１〜３に示す実施形態のように、貫通孔６２Ｂを有しない摘み片部６２Ａが係脱されるスリット構造としたりしてもよい。また、スリット構成としては、例えば図１１に示すように、フランジ部６１Ｂの外周縁に連通する平面視でＬ字状のスリット６１Ｅを切欠形成したり、図１２に示すように、平面視でＴ字状のスリット６１Ｆを切欠形成したりしたものでもよい。
【００４０】
また、図１０に示す構成では、ヒートシールされたシート部材６２を一辺側から開封する構成を例示したが、例えば図１３および図１４に示すように、２方向から開封する構成としてもよい。
この図１３および図１４に示す容器７は、開口部２１を開口する収容凹部７１Ａを有した容器本体７１と、この容器本体７１にヒートシールされ収容凹部７１Ａの開口部２１を覆うシート部材７２とを備えている。
容器本体７１のフランジ部７１Ｂには、収容凹部７１Ａの短手方向の両端における対角の位置に、係止部としてのスリット７１Ｄが設けられている。
シート部材７２は、開口部２１を覆う長方形のシート状に形成され、周縁がフランジ部７１Ｂにヒートシール７１Ｅされる（図１３参照）。シート部材７２には、容器本体７１のスリット７１Ｄが設けられた対角位置と異なる対角位置に対応して、スリット７１Ｄに係脱可能な舌片状の摘み片部７２Ｂが２つ設けられている。
【００４１】
そして、この図１３および図１４に示す構成についても同様に、摘み片部７２Ｂを摘み上げてシート部材７２を捲り返し、摘み片部７２Ｂをスリット７１Ｄに係止させ、開封状態を維持させ、食材Ｘを取り出しやすくする。食材Ｘが残った場合には、摘み片部７２Ｂをスリット７１Ｄから取り外すことで、シート部材７２の復元力により開口部２１が閉塞された状態となる。そして、摘み片部７２Ｂを複数設けているので、使用時の開封は、いずれの方向からでも可能であり、使い勝手を向上できる。なお、このような複数の摘み片部７２Ｂを設ける構成では、例えば収容凹部７１Ａが複数設けられた構成の時には、それぞれの収容凹部７１Ａで開封させることが可能となり、使用する収容凹部７１Ａのみの開封により、食材Ｘの品質劣化をより防止することが可能となる。
【００４２】
さらに、本発明の容器としては、例えば図１５および図１６に示すように、収容凹部８１Ａを３つ設けた構成としてもよい。
この図１５および図１６に示す容器８は、長方形状の開口部２１を開口する収容凹部８１Ａを有した容器本体８１と、この容器本体８１にヒートシールされ収容凹部８１Ａの開口部２１を覆うシート部材８２とを備えている。
容器本体８１のフランジ部８１Ｂには、収容凹部８１Ａの短手方向の両側における中央と、一端側との位置に、係止部としてのスリット８１Ｃ，８１Ｄが設けられている。
シート部材８２は、３つの開口部２１を覆う長方形のシート状に形成され、周縁がフランジ部８１Ｂにヒートシール８１Ｆされる（図１５参照）。シート部材８２には、長手方向の一端縁の中央に、シート部材８２を捲り返す際に把持される摘み片部８２Ａが設けられている。また、シート部材８２には、長手方向の両縁における摘み片部８２Ａが設けられた側、特に開口部２１の中間位置に対応する位置に、舌片状に突出した係合片部８２Ｂが一連に２つ設けられている。
【００４３】
そして、図１５および図１６に示す容器８の開封に際しては、摘み片部８２Ａが摘み上げられてヒートシール８１Ｆを剥離しつつ捲り返し、収容凹部８１Ａの開口部２１の一部を開口させる。そして、係合片部８２Ｂをスリット８１Ｃにそれぞれ係止させ、図１６に示すように開口した状態に保持し、食材Ｘを取り出す。また、食材Ｘがある程度使用された状態では、ヒートシール８１Ｆをさらに剥離して開口部２１をより開口させ、係合片部８２Ｂをスリット８１Ｄにそれぞれ係止させることで、開口した状態を維持できる。
食材Ｘが残っている場合には、係合片部８２Ｂの係止を解除することで、シート部材８２の復元力により開口部２１が閉塞された状態となり、食材Ｘがシート部材８２に覆われた状態が得られる。
このように、図１５および図１６に示す容器８についても、食材Ｘを容易に取り出しできるとともに、シート部材８２にて食材Ｘを覆うことで食材Ｘの品質の劣化を抑えて長期保存できる。さらに、開口状態を調整できるので、上述したように、収容凹部８１Ａを複数設けた構成とした場合、開封する必要がない収容凹部８１Ａは未開封のままで、食材Ｘを取り出す収容凹部８１Ａのみを開封させることも可能となり、食材Ｘの品質劣化をより防止することが可能となる。
複数のうちのいずれかの収容凹部８１Ａのみを開封する場合に、シート部材８２の係合片部８２Ｂもしくは貫通孔８２Ｃを、収容凹部８１Ａに対応して設けられた所定のスリット８１Ｃ，８１Ｄもしくは突起部８１Ｅに係止させればよい。このように、必要とされる収容凹部８１Ａのみを開封して食材Ｘを取り出すことが容易にでき、未開封にできることから食材Ｘの品質劣化をさらに防止できる。
【００４４】
なお、シート部材８２にて開口部２１を閉塞した状態で、摘み片部８２Ａや係合片部８２Ｂを係止可能なスリットをフランジ部８１Ｂに設けてもよい。この構成により、開口部２１をより確実に閉塞することができ、食材Ｘの品質劣化をより防止できる。
【産業上の利用可能性】
【００４５】
本発明は、食品、化粧品、工業品、玩具や文具などの各種物品を収容する容器に適用できる。
【符号の説明】
【００４６】
１，６，７，８…容器
２，６１，７１，８１…容器本体
３，６２，７２，８２…シート部材
４…蓋体
２１…開口部
２６…フランジ部としての当接部
２９，６１Ｅ，６１Ｆ，７１Ｄ，８１Ｃ，８１Ｄ…係止部としてのスリット
３１，６２Ａ，７２Ｂ…係合部としての摘み片部
３２，６２Ｂ，８２Ｃ…係合部としての貫通孔
５１，６１Ｃ…係止部としての突起部
５４…係止部としての凹部である引っ掛け凹部
６１Ａ，７１Ａ，８１Ａ…収容凹部
６１Ｂ，７１Ｂ，８１Ｂ…フランジ部
８２Ｂ…係合部としての係合片部
Ｘ…ゲル状食品である食材
【図１】
2015040045.tif 000003
【図２】
2015040045.tif 000004
【図３】
2015040045.tif 000005
【図４】
2015040045.tif 000006
【図５】
2015040045.tif 000007
【図６】
2015040045.tif 000008
【図７】
2015040045.tif 000009
【図８】
2015040045.tif 000010
【図９】
2015040045.tif 000011
【図１０】
2015040045.tif 000012
【図１１】
2015040045.tif 000013
【図１２】
2015040045.tif 000014
【図１３】
2015040045.tif 000015
【図１４】
2015040045.tif 000016
【図１５】
2015040045.tif 000017
【図１６】
2015040045.tif 000018